【手続補正書】
【提出日】平成24年4月25日(2012.4.25)
【手続補正１】
【補正対象書類名】特許請求の範囲
【補正対象項目名】全文
【補正方法】変更
【補正の内容】
【特許請求の範囲】
【請求項１】
マルチモードディスプレイシステムにおいて、
Ｉ）複数のピクセルを有し、前記複数のピクセルの第１のピクセルが第１の透過領域及び第１の反射領域を有する、マルチモード液晶ディスプレイと、
ＩＩ）ラッチ付ピクセル駆動回路であって、
ａ）前記第１のピクセルの前記第１の透過領域に接続された第１の透過データ入力を有しており、前記第１の透過データ入力からの第１の透過データ値を駆動するように及び前記第１の透過データ入力からの前記第１の透過データ値に基づいて前記第１の透過領域を第１の透過表示状態に設定するように構成された、透過ラッチセクション、及び
ｂ）前記第１のピクセルの前記第１の反射領域に接続された第１の反射データ入力を有しており、前記第１の反射データ入力からの第１の反射データ値を駆動するように及び前記第１の反射データ入力からの前記第１の反射データ値に基づいて前記第１の反射領域を第１の反射表示状態に設定するように構成された、反射ラッチセクション、
を有し、
前記第１の透過データ値は複数の透過データ値からのデータ値であり、前記透過表示状態は複数の透過表示状態からの表示状態であり、
前記第１の反射データ値は複数の反射データ値からのデータ値であり、前記反射表示状態は複数の反射表示状態からの表示状態であり、
前記第１の透過データ入力は前記第１の反射データ入力に独立である、
ラッチ付ピクセル駆動回路と、
を備えることを特徴とするマルチモードディスプレイシステム。
【請求項２】
前記複数のピクセルが、第２の透過領域及び第２の反射領域を有する、異なる第２のピクセルを含み、
前記透過ラッチセクションが、第２の透過データ入力からの第２の透過データ値を駆動するように及び前記第２の透過データ入力からの前記第２の透過データ値に基づいて前記第２の透過領域を第２の透過表示状態に設定するように構成され、
前記反射ラッチセクションが、第２の反射データ入力からの第２の反射データ値を駆動するように及び前記第２の反射データ入力からの前記第２の反射データ値に基づいて前記第２の反射領域を第２の反射表示状態に設定するように構成され、
前記第２の反射データ入力は前記第２の透過データ入力に独立である、
ことを特徴とする請求項１に記載のマルチモードディスプレイシステム。
【請求項３】
前記第１の反射データ入力及び前記第２の反射データ入力がある時間の間同じ大域反射データ値まで駆動されるように構成され、前記第１の反射領域及び前記第２の反射領域が前記第１の反射データ入力及び前記第２の反射データ入力からの前記同じ大域反射データ値に基づいて実質的に同時に同じ反射表示状態に遷移するように構成されることを特徴とする請求項２に記載のマルチモードディスプレイシステム。
【請求項４】
前記第１の反射データ入力がある時間の間第１の非大域反射データ値まで駆動されるように構成され、前記第２の反射データ入力が前記時間の間異なる第２の非大域反射データ値まで駆動されるように構成され、前記第１の反射領域が前記第１の反射データ入力からの前記第１の非大域反射データ値に基づいて前記時間内に反射表示状態に遷移するように構成され、前記第２の反射領域が前記第２の反射データ入力からの前記第２の非大域反射データ値に基づいて前記時間内に異なる反射表示状態に遷移するように構成されることを特徴とする請求項２に記載のマルチモードディスプレイシステム。
【請求項５】
前記第１の透過データ入力及び前記第２の透過データ入力がある時間の間同じ大域透過データ値まで駆動されるように構成され、前記第１の透過領域及び前記第２の透過領域が前記第１の透過データ入力及び前記第２の透過データ入力からの前記同じ大域透過データ値に基づいて実質的に同時に同じ透過表示状態に遷移するように構成されることを特徴とする請求項２に記載のマルチモードディスプレイシステム。
【請求項６】
前記第１の透過データ入力がある時間の間第１の非大域透過データ値まで駆動されるように構成され、前記第２の透過データ入力が前記時間の間異なる第２の非大域透過データ値まで駆動されるように構成され、前記第１の透過領域が前記第１の透過データ入力からの前記第１の非大域透過データ値に基づいて前記時間内に透過表示状態に遷移するように構成され、前記第２の透過領域が前記第２の透過データ入力からの前記第２の非大域透過データ値に基づいて前記時間内に異なる透過表示状態に遷移するように構成されることを特徴とする請求項２に記載のマルチモードディスプレイシステム。
【請求項７】
前記複数の反射データ値が特定の反射データ値を含み、前記複数のピクセルの一ピクセルにおける反射領域が反射データ入力からの前記特定の反射データ値に基づいて前記複数の反射表示状態の内の黒色反射表示状態にあるように構成されることを特徴とする請求項１に記載のマルチモードディスプレイシステム。
【請求項８】
前記複数の反射データ値が特定の反射データ値を含み、前記複数のピクセルの一ピクセルにおける反射領域が反射データ入力からの前記特定の反射データ値に基づいて前記複数の反射表示状態の内の非黒色反射表示状態にあるように構成されることを特徴とする請求項１に記載のマルチモードディスプレイシステム。
【請求項９】
前記複数の透過データ値が特定の透過データ値を含み、前記複数のピクセルの一ピクセルにおける透過領域が透過データ入力からの前記特定の透過データ値に基づいて前記複数の透過表示状態の内の黒色透過表示状態にあるように構成されることを特徴とする請求項１に記載のマルチモードディスプレイシステム。
【請求項１０】
前記複数の透過データ値が特定の透過データ値を含み、前記複数のピクセルの一ピクセルにおける透過領域が透過データ入力からの前記特定の透過データ値に基づいて前記複数の透過表示状態の内の非黒色透過表示状態にあるように構成されることを特徴とする請求項１に記載のマルチモードディスプレイシステム。
【請求項１１】
前記第１の透過領域が液晶材料の一部分、第１のコンデンサ、及び前記液晶材料の前記部分によってある程度形成される第２のコンデンサを有し、前記第１のコンデンサ及び前記第２のコンデンサが前記第１の透過データ入力からの前記第１の透過データ値に基づいて充電状態に遷移するように構成されることを特徴とする請求項１に記載のマルチモードディスプレイシステム。
【請求項１２】
前記第１の反射領域が液晶材料の一部分、第３のコンデンサ、及び前記液晶材料の前記部分によってある程度形成される第４のコンデンサを有し、前記第３のコンデンサ及び前記第４のコンデンサが前記第１の反射データ入力からの前記第１の反射データ値に基づいて充電状態に遷移するように構成されることを特徴とする請求項１に記載のマルチモードディスプレイシステム。
【請求項１３】
前記第１のピクセルがタイミング制御回路に接続され、前記第１の透過領域が第１の電極層対及び前記第１の電極層対間の前記液晶層の第１の部分を有し、前記第１の反射領域が第２の電極層対及び前記第２の電極層対間の前記液晶層の第２の部分を有し、前記第１の電極層対及び前記第２の電極層対が前記タイミング制御回路からのタイミング制御信号に基づいてリフレッシュされるように構成されることを特徴とする請求項１に記載のマルチモードディスプレイシステム。
【請求項１４】
コンピュータにおいて、
１つ以上のプロセッサ、及び
前記１つ以上のプロセッサに接続された、請求項１から１３いずれか１項記載のマルチモードディスプレイシステム、
を備えることを特徴とするコンピュータ。